(57)【要約】【課題】  システム上の機器がダウンしても印刷処理を行うことができる印刷システムを提供する。【解決手段】  端末装置から送信される印刷ジョブを受信する受信部と、受信部が受信した印刷ジョブを印刷管理装置に送信する送信部と、自身が送信した印刷ジョブ以外の印刷ジョブの送信要求を印刷管理装置に送信する印刷ジョブ要求部と、印刷ジョブ要求部の要求に応じて印刷管理装置から送信される印刷ジョブを受信し、受信した印刷ジョブをプリンタ装置に出力する出力部と、を有することを特徴とする。【選択図】    図１
2006021359.tif 000002
【特許請求の範囲】
【請求項１】
プリンタ装置に印刷制御装置が設けられ、該プリンタ装置が端末装置に対して複数台接続されるとともに印刷管理装置が接続される印刷システムにおける印刷制御装置であって、
前記端末装置から送信される印刷ジョブを受信する受信部と、
前記受信部が受信した印刷ジョブを前記印刷管理装置に送信する送信部と、
自身が送信した印刷ジョブ以外の印刷ジョブの送信要求を前記印刷管理装置に送信する印刷ジョブ要求部と、
前記印刷ジョブ要求部の要求に応じて前記印刷管理装置から送信される印刷ジョブを受信し、受信した印刷ジョブを前記プリンタ装置に出力する出力部と、
を有することを特徴とする印刷制御装置。
【請求項２】
前記印刷管理装置に記憶された印刷ジョブのリスト情報の送信要求を前記印刷管理装置に送信するリスト要求部と、
前記リスト要求部の要求に応じて前記印刷管理装置から送信されるリスト情報を受信するリスト情報受信部と、
を有することを特徴とする請求項１記載の印刷制御装置。
【請求項３】
プリンタ装置に印刷制御装置が設けられ、該プリンタ装置が端末装置に対して複数台接続されるとともに印刷管理装置が接続される印刷システムにおける印刷管理装置であって、
前記印刷制御装置から送信される印刷ジョブを受信する受信部と、
前記受信部が受信した印刷ジョブを記憶する印刷ジョブ記憶部と、
前記印刷制御装置から送信される印刷ジョブの送信要求に基づいて、送信要求された印刷ジョブを前記印刷ジョブ記憶部から読み出して印刷制御装置に送信する印刷ジョブ送信部と、
を有することを特徴とする印刷管理装置。
【請求項４】
前記印刷ジョブ記憶部に記憶された印刷ジョブのリスト情報を記憶するリスト情報記憶部と、
前記印刷制御装置から送信されるリスト情報の送信要求に基づいて、リスト情報を前記リスト情報記憶部から読み出して印刷制御装置に送信するリスト情報送信部と、
を有することを特徴とする請求項３記載の印刷管理装置。
【請求項５】
プリンタ装置に印刷制御装置が設けられ、該プリンタ装置が端末装置に対して複数台接続されるとともに印刷管理装置が接続される印刷システムであって、
前記印刷制御装置は、
前記端末装置から送信される印刷ジョブを受信する受信部と、
前記受信部が受信した印刷ジョブを前記印刷管理装置に送信する送信部と、
自身が送信した印刷ジョブ以外の印刷ジョブの送信要求を前記印刷管理装置に送信する印刷ジョブ要求部と、
前記印刷ジョブ要求部の要求に応じて前記印刷管理装置から送信される印刷ジョブを受信し、受信した印刷ジョブを前記プリンタ装置に出力する出力部とを有し、
前記印刷管理装置は、
前記印刷制御装置から送信される印刷ジョブを受信する受信部と、
前記受信部が受信した印刷ジョブを記憶する印刷ジョブ記憶部と、
前記印刷制御装置から送信される印刷ジョブの送信要求に基づいて、送信要求された印刷ジョブを前記印刷ジョブ記憶部から読み出して印刷制御装置に送信する印刷ジョブ送信部とを有する
こと特徴とする印刷システム。
【請求項６】
プリンタ装置に印刷制御装置が設けられ、該プリンタ装置が端末装置に対して複数台接続されるとともに印刷管理装置が接続される印刷システムにおける印刷制御装置に用いられる印刷制御方法であって、
前記端末装置から送信される印刷ジョブを受信し、
受信した印刷ジョブを前記印刷管理装置に送信し、
自身が送信した印刷ジョブ以外の印刷ジョブの送信要求を前記印刷管理装置に送信し、
前記印刷管理装置から送信される印刷ジョブを受信し、受信した印刷ジョブを前記プリンタ装置に出力する
ことを特徴とする印刷制御方法。
【請求項７】
プリンタ装置に印刷制御装置が設けられ、該プリンタ装置が端末装置に対して複数台接続されるとともに印刷管理装置が接続される印刷システムにおける印刷管理装置に用いられる印刷管理方法であって、
前記印刷制御装置から送信される印刷ジョブを受信して記憶し、
前記印刷制御装置から送信される印刷ジョブの送信要求に基づいて、記憶された印刷ジョブから読み出して印刷制御装置に送信する
ことを特徴とする印刷管理方法。
【請求項８】
プリンタ装置に印刷制御装置が設けられ、該プリンタ装置が端末装置に対して複数台接続されるとともに印刷管理装置が接続される印刷システムにおける印刷制御装置に用いられる印刷制御プログラムであって、
前記端末装置から送信される印刷ジョブを受信するステップと、
受信した印刷ジョブを前記印刷管理装置に送信するステップと、
自身が送信した印刷ジョブ以外の印刷ジョブの送信要求を前記印刷管理装置に送信するステップと、
前記印刷管理装置から送信される印刷ジョブを受信し、受信した印刷ジョブを前記プリンタ装置に出力するステップと
をコンピュータに実行させるための印刷制御プログラム。
【請求項９】
プリンタ装置に印刷制御装置が設けられ、該プリンタ装置が端末装置に対して複数台接続されるとともに印刷管理装置が接続される印刷システムにおける印刷管理装置に用いられる印刷管理プログラムであって、
前記印刷制御装置から送信される印刷ジョブを受信して記憶するステップと、
前記印刷制御装置から送信される印刷ジョブの送信要求に基づいて、記憶された印刷ジョブから読み出して印刷制御装置に送信するステップと、
をコンピュータに実行させるための印刷管理プログラム。
【発明の詳細な説明】
【技術分野】
【０００１】
本発明は、印刷制御装置、印刷管理装置、印刷制御方法、印刷管理方法、印刷制御プログラム、印刷管理プログラムに関する。
【背景技術】
【０００２】
従来から、ネットワークを利用することによって、コンピュータに複数台のプリンタを接続し、いずれか１台のプリンタを指定して、印刷ジョブを印刷していた。ここでは、ネットワーク上にサーバが設けられるシステム構成となっている。このシステムにおいては、コンピュータからサーバに印刷ジョブを送信して蓄積しておき、各プリンタがサーバから印刷ジョブを受信し、受信した印刷ジョブを印刷していた。このシステムによれば、指定先とは異なる他のプリンタがサーバから当該印刷ジョブを受信して印刷することにより、指定先のプリンタに故障が発生した場合や、他の印刷ジョブの印刷が終了するまで待たなければならない状況などの不具合を解消することができる（例えば、特許文献１、非特許文献１参照）。
【特許文献１】特開２００２−０３２２０５号公報
【非特許文献１】http://www.kernelsupport.co.jp/seihinntop.htm、カーネルサポート、製品紹介、［平成１６年７月５日検索］、インターネット
【発明の開示】
【発明が解決しようとする課題】
【０００３】
しかしながら、上述したシステムにおいては、サーバが故障や停電などによってダウンしてしまった場合、ジョブをサーバから送信することができないので、いずれのプリンタが正常であっても、印刷ができないという問題が発生していた。また、サーバそのものをシステム上に構築しなければならないので、コストが増大してしまうという問題点が発生するとともに、メンテナンスを行う工数が増大するという問題があった。
【０００４】
本発明は、このような事情に鑑みてなされたもので、その目的は、システム上の機器がダウンしても印刷処理を行うことができる印刷制御装置、印刷管理装置、印刷制御方法、印刷管理方法、印刷制御プログラム、印刷管理プログラムを提供することにある。
【課題を解決するための手段】
【０００５】
上述した課題を解決するために、本発明は、プリンタ装置に印刷制御装置が設けられ、該プリンタ装置が端末装置に対して複数台接続されるとともに印刷管理装置が接続される印刷システムにおける印刷制御装置であって、前記端末装置から送信される印刷ジョブを受信する受信部と、前記受信部が受信した印刷ジョブを前記印刷管理装置に送信する送信部と、自身が送信した印刷ジョブ以外の印刷ジョブの送信要求を前記印刷管理装置に送信する印刷ジョブ要求部と、前記印刷ジョブ要求部の要求に応じて前記印刷管理装置から送信される印刷ジョブを受信し、受信した印刷ジョブを前記プリンタ装置に出力する出力部と、を有することを特徴とする。
【０００６】
また、本発明は、上述した印刷制御装置において、前記印刷管理装置に記憶された印刷ジョブのリスト情報の送信要求を前記印刷管理装置に送信するリスト要求部と、前記リスト要求部の要求に応じて前記印刷管理装置から送信されるリスト情報を受信するリスト情報受信部と、を有することを特徴とする。
【０００７】
また、本発明は、プリンタ装置に印刷制御装置が設けられ、該プリンタ装置が端末装置に対して複数台接続されるとともに印刷管理装置が接続される印刷システムにおける印刷管理装置であって、前記印刷制御装置から送信される印刷ジョブを受信する受信部と、前記受信部が受信した印刷ジョブを記憶する印刷ジョブ記憶部と、前記印刷制御装置から送信される印刷ジョブの送信要求に基づいて、送信要求された印刷ジョブを前記印刷ジョブ記憶部から読み出して印刷制御装置に送信する印刷ジョブ送信部と、を有することを特徴とする。
【０００８】
また、本発明は、上述した印刷管理装置において、前記印刷ジョブ記憶部に記憶された印刷ジョブのリスト情報を記憶するリスト情報記憶部と、前記印刷制御装置から送信されるリスト情報の送信要求に基づいて、リスト情報を前記リスト情報記憶部から読み出して印刷制御装置に送信するリスト情報送信部と、を有することを特徴とする。
【０００９】
また、本発明は、プリンタ装置に印刷制御装置が設けられ、該プリンタ装置が端末装置に対して複数台接続されるとともに印刷管理装置が接続される印刷システムであって、前記印刷制御装置は、前記端末装置から送信される印刷ジョブを受信する受信部と、前記受信部が受信した印刷ジョブを前記印刷管理装置に送信する送信部と、自身が送信した印刷ジョブ以外の印刷ジョブの送信要求を前記印刷管理装置に送信する印刷ジョブ要求部と、前記印刷ジョブ要求部の要求に応じて前記印刷管理装置から送信される印刷ジョブを受信し、受信した印刷ジョブを前記プリンタ装置に出力する出力部とを有し、前記印刷管理装置は、前記印刷制御装置から送信される印刷ジョブを受信する受信部と、前記受信部が受信した印刷ジョブを記憶する印刷ジョブ記憶部と、前記印刷制御装置から送信される印刷ジョブの送信要求に基づいて、送信要求された印刷ジョブを前記印刷ジョブ記憶部から読み出して印刷制御装置に送信する印刷ジョブ送信部とを有すること特徴とする。
【００１０】
また、本発明は、プリンタ装置に印刷制御装置が設けられ、該プリンタ装置が端末装置に対して複数台接続されるとともに印刷管理装置が接続される印刷システムにおける印刷制御装置に用いられる印刷制御方法であって、前記端末装置から送信される印刷ジョブを受信し、受信した印刷ジョブを前記印刷管理装置に送信し、自身が送信した印刷ジョブ以外の印刷ジョブの送信要求を前記印刷管理装置に送信し、前記印刷管理装置から送信される印刷ジョブを受信し、受信した印刷ジョブを前記プリンタ装置に出力することを特徴とする。
【００１１】
また、本発明は、プリンタ装置に印刷制御装置が設けられ、該プリンタ装置が端末装置に対して複数台接続されるとともに印刷管理装置が接続される印刷システムにおける印刷管理装置に用いられる印刷管理方法であって、前記印刷制御装置から送信される印刷ジョブを受信して記憶し、前記印刷制御装置から送信される印刷ジョブの送信要求に基づいて、記憶された印刷ジョブから読み出して印刷制御装置に送信することを特徴とする。
【００１２】
また、本発明は、プリンタ装置に印刷制御装置が設けられ、該プリンタ装置が端末装置に対して複数台接続されるとともに印刷管理装置が接続される印刷システムにおける印刷制御装置に用いられる印刷制御プログラムであって、前記端末装置から送信される印刷ジョブを受信するステップと、受信した印刷ジョブを前記印刷管理装置に送信するステップと、自身が送信した印刷ジョブ以外の印刷ジョブの送信要求を前記印刷管理装置に送信するステップと、前記印刷管理装置から送信される印刷ジョブを受信し、受信した印刷ジョブを前記プリンタ装置に出力するステップとをコンピュータに実行させるための印刷制御プログラムである。
【００１３】
また、本発明は、プリンタ装置に印刷制御装置が設けられ、該プリンタ装置が端末装置に対して複数台接続されるとともに印刷管理装置が接続される印刷システムにおける印刷管理装置に用いられる印刷管理プログラムであって、前記印刷制御装置から送信される印刷ジョブを受信して記憶するステップと、前記印刷制御装置から送信される印刷ジョブの送信要求に基づいて、記憶された印刷ジョブから読み出して印刷制御装置に送信するステップと、をコンピュータに実行させるための印刷管理プログラムである。
【００１４】
以上説明したように、この発明によれば、端末装置から送信される印刷ジョブを受信して印刷管理装置に送信し、自身が送信した印刷ジョブ以外の印刷ジョブを印刷管理装置から受信して、プリンタ装置に出力するようにしたので、新たにサーバを設けることなく、印刷対象として指定されていないプリンタ装置においても、印刷ジョブを受信して印刷することができる。
【発明を実施するための最良の形態】
【００１５】
以下、本発明の一実施形態による印刷システムを図面を参照して説明する。
図１は、この発明の一実施形態による印刷システムの構成を示す概略ブロック図である。この図において、プリンタ装置１０に印刷制御装置２０が設けられ、該プリンタ装置２０が端末装置３０に対してネットワーク４０を介して複数台接続されるとともに印刷管理装置５０が接続される。プリンタ装置１０は、印刷制御装置２０または印刷管理装置５０から出力される印刷ジョブに基づいて、印刷用紙などの印刷媒体に印刷する。印刷制御装置２０は、印刷管理装置５０に対してスレーブ側となり、印刷管理装置５０は、各印刷制御装置２０に対してマスター側となることによって、印刷ジョブの送受信を行う（詳細は後述する）。端末装置３０は、例えば、ＰＣなどのコンピュータであり、印刷媒体に印刷するための印刷データを作成して印刷ジョブとして送信する機能を有する。ネットワーク４０は、ＬＡＮ（ローカルエリアネットワーク）やインターネットなどのネットワークが適用可能であり、無線または有線などを組み合わせて構成される。
【００１６】
次に、印刷制御装置２０について、図２を用いて説明する。図２は、印刷制御装置２０の構成について説明するための概略ブロック図である。この図において、受信部２１０は、端末装置３０から送信される印刷ジョブを受信する。印刷ジョブ記憶部２１５は、受信部２１０が受信した印刷ジョブを記憶する。送信部２２０は、受信部２１０が受信して印刷ジョブ記憶部２１５に記憶された印刷ジョブを印刷管理装置５０に送信する。
【００１７】
入力部２２５は、ユーザから入力される指示を、その指示内容に応じて、リスト要求部２３０、印刷ジョブ要求部２６０、出力部２７０に出力する。リスト要求部２３０は、入力部２２５に入力されるユーザからの指示に基づいて、印刷管理装置５０に記憶された印刷ジョブのリスト情報の送信要求を印刷管理装置５０に送信する。リスト情報受信部２４０は、リスト要求部２３０の要求に応じて印刷管理装置５０から送信されるリスト情報を受信する。
【００１８】
認証部２４５は、印刷制御装置２０に接続されるプリンタ装置１０を利用しようとするユーザの認証処理をする。この認証処理は、例えば、認証に用いるための認証データを予め認証部２４５内の所定のメモリに記憶しておき、ユーザから入力されるユーザ情報と、認証データを比較して一致するか否かに基づいて認証を行う。ここでは、ユーザ情報の入力は、タッチパネルなどの入力装置からユーザＩＤを入力したり、指紋入力をしたり、ＲＦＩＤ（Radio Frequency IDentification）タグに記憶されたデータをリーダで読み取ったり、ＩＣカードに記憶されたデータを読み出す、などによって行われる。
【００１９】
リスト情報出力部２５０は、認証部２４５によって認証されたユーザが端末装置３０から送信した印刷ジョブについてのリスト情報を表示する。このリスト情報出力部２５０は、例えば、タッチパネルなどの表示装置が適用され、ユーザからの指示を入力することが可能である。印刷ジョブ要求部２６０は、入力部２２５に入力されるユーザからの指示に基づいて、自身が送信した印刷ジョブ以外の印刷ジョブの送信要求を印刷管理装置５０に送信する。出力部２７０は、印刷ジョブ要求部２６０の要求に応じて印刷管理装置５０から送信される印刷ジョブを受信し、受信した印刷ジョブをプリンタ装置１０に出力する。また、出力部２７０は、入力部２２５から入力される指示に基づいて、印刷ジョブ記憶部２１５に記憶された印刷ジョブを読み出して、プリンタ装置１０に出力する。
【００２０】
次に、印刷管理装置５０について、図３を用いて説明する。図３は、印刷管理装置５０の構成について説明するための概略ブロック図である。
この図において、受信部５１０は、印刷制御装置２０から送信される印刷ジョブを受信する。印刷ジョブ記憶部５２０は、受信部５１０が受信した印刷ジョブを記憶する。リスト作成部５３０は、印刷ジョブ記憶部５２０に記憶された印刷ジョブのリスト情報を作成する。ここで、リスト作成部５３０は、例えば図４に示すように、印刷ジョブをユーザ毎に分類したリスト情報を作成する。リスト情報記憶部５４０は、リスト作成部５３０によって作成された印刷ジョブのリスト情報を記憶する。リスト情報送信部５５０は、印刷制御装置２０から送信されるリスト情報の送信要求に基づいて、送信要求に含まれるユーザを特定する情報に基づいて、当該ユーザのリスト情報をリスト情報記憶部から読み出して印刷制御装置に送信する。
【００２１】
印刷ジョブ送信部５６０は、印刷制御装置２０から送信される印刷ジョブの送信要求に基づいて、送信要求された印刷ジョブを印刷ジョブ記憶部５２０から読み出して印刷制御装置２０に送信する。また、ここでは、印刷管理装置５０は、スレーブ側の印刷制御装置２０内に設けられる機能の一部、すなわち、図２における受信部２１０、印刷ジョブ記憶部２１５、入力部２２５、リスト要求部２３０、認証部２４５、リスト出力部２５０、出力２７０の機能が設けられ、自身に接続されるプリンタ装置１０によって印刷ジョブに基づいて印刷を行うことも可能である。
【００２２】
次に、図５を用いて、本発明の印刷システムの動作の概略について説明する。ここでは、印刷制御装置２０とプリンタ装置１０との組み合わせのスレーブＡ、スレーブＢとし、印刷管理装置５０とプリンタ装置１０との組み合わせをマスターＭとして説明する。
端末装置３０は、ユーザから印刷指示された印刷ジョブを印刷対象として指定されたプリンタ装置１０を有するスレーブＡに送信する（符号ａ）。スレーブＡは、端末装置３０から受信した印刷ジョブを保存した後、マスターＭにコピーを転送する（符号ｂ）。マスターＭは、スレーブＡから転送される印刷ジョブを受信して保存する（符号ｃ）。
【００２３】
次に、ユーザがスレーブＡでは印刷せず、スレーブＢの設置場所まで移動し、スレーブＢに対して印刷ジョブの印刷要求を入力すると、スレーブＢは、印刷要求された印刷ジョブをマスターＭから転送してもらい（符号ｄ）、転送された印刷ジョブを印刷する（符号ｅ）。
これにより、印刷ジョブは、印刷対象として指定されたスレーブＡではなく、スレーブＢにおいて印刷することができる。
【００２４】
次に、図６を用いて、本発明の印刷システムの動作について説明する。図６は、図１における印刷システムの動作を説明するためのフローチャートである。
まず、端末装置３０において、印刷データが作成されると、印刷データを作成したユーザＩＤが付加されて印刷ジョブとして印刷制御装置２０に送信される。印刷制御装置２０は、端末装置３０から送信される印刷ジョブを受信部２１０によって受信し（ステップＳ１０）、受信した印刷ジョブを印刷ジョブ記憶部２１５に記憶した後（ステップＳ１１）、送信部２２０によって、印刷ジョブをマスター側となる印刷管理装置５０に送信する（ステップＳ１２）。
【００２５】
印刷管理装置５０は、スレーブ側となる印刷制御装置２０から印刷ジョブを受信部５１０によって受信し（ステップＳ３０）、受信した印刷ジョブを印刷ジョブ記憶部５２０に記憶する。印刷ジョブが印刷ジョブ記憶部５２０に記憶されると、印刷ジョブに付加されたユーザＩＤに基づいて、印刷ジョブのリストを作成し（ステップＳ３１）、リスト記憶部５４０に記憶する。
【００２６】
一方、印刷制御装置２０は、印刷ジョブを転送した後、ユーザから入力される情報に基づいてユーザの認証を行う（ステップＳ１３）。そして、認証が正常に完了すると、リスト情報出力部２５０は、認証結果に基づいてユーザの個人を特定し（ステップＳ１４）、印刷ジョブ記憶部２１５に記憶された印刷ジョブをユーザ毎に分類してリストを作成し（ステップＳ１５）、画面上に表示する。
【００２７】
ユーザは、リスト情報出力部２５０に出力された情報を参照し、印刷したい印刷ジョブを選択して入力する。ここでは、端末装置３０から印刷対象として選択したプリンタ装置１０ではない別のプリンタ装置１０が設置されている場所に移動して印刷を行う場合、印刷ジョブが印刷制御装置２０に記憶されていない。この場合、「マスター側のリスト要求」などのボタンがユーザによって押下されることによって、印刷制御装置２０は、自身が受信していない印刷ジョブのリストを要求する。ここで、入力部２２５の「マスター側のリスト要求」のボタンが押下されると、リスト要求部２３０は、印刷対象の印刷ジョブを自身が記憶していないことを検出し（ステップＳ１６）、認証したユーザＩＤとともに印刷管理装置５０にリスト情報の送信要求を送信する（ステップＳ１７）。
【００２８】
印刷管理装置５０のリスト情報送信部５５０は、リストの送信要求を受信すると、ユーザＩＤに該当するリストをリスト情報記憶５４０から読み出して（ステップＳ３２）、印刷制御装置２０に送信する（ステップＳ３３）。印刷制御装置２０のリスト情報受信部２４０は、印刷管理装置５０から送信されたリスト情報を受信して、リスト情報出力部２５０に表示する（ステップＳ１８）。そして、ユーザによって、印刷管理装置５０から受信したリストの中から印刷ジョブが選択されて印刷指示が入力部２２５から入力されると（ステップＳ１９）、印刷ジョブ要求部２６０は、指示された印刷ジョブの送信要求を印刷管理装置５０に送信する（ステップＳ２０）。
【００２９】
印刷管理装置５０の印刷ジョブ送信部５６０は、送信要求された印刷ジョブを印刷ジョブ記憶部５２０から読み出して（ステップＳ３４）、印刷制御装置２０に送信する（ステップＳ３５）。印刷制御装置２０の出力部２７０は、印刷管理装置５０から送信された印刷ジョブを受信し（ステップＳ２１）、受信した印刷ジョブを印刷指示とともにプリンタ装置１０に出力する。これにより、印刷対象として指定されていなかった移動先のプリンタ装置１０において、印刷ジョブの印刷が行われる（ステップＳ２２）。
【００３０】
一方、ステップＳ１６において、印刷ジョブ記憶部２１５に記憶された印刷ジョブが選択されて印刷指示が入力された場合、出力部２７０は、指示された印刷ジョブを印刷ジョブ記憶部２１５から読み出して（ステップＳ２３）、印刷指示とともにプリンタ装置１０に出力する。これにより、印刷対象として指定されたプリンタ装置において、印刷ジョブの印刷が行われる（ステップＳ２４）。
【００３１】
なお、以上説明した実施形態において、マスター側となる印刷管理装置５０からスレーブ側となる印刷制御装置２０に印刷ジョブを送信した場合、送信した印刷ジョブについては、印刷管理装置５０の印刷ジョブ記憶部５２０のメモリ上から削除してもよい、また、印刷ジョブは、一日毎など一定時間を経過する毎に印刷ジョブ記憶部５２０のメモリ上から削除されるようにしてもよい。
【００３２】
また、印刷ジョブを受信するのは、印刷制御装置２０である場合について説明したが、プリンタ装置１０が印刷ジョブを一旦受信したのち、受信した印刷ジョブを印刷制御装置２０がプリンタ装置１０から取得するようにしてもよい。
【００３３】
また、上述した実施形態において、印刷ジョブをリストとして表示して、ユーザに選択してもらう場合について説明したが、印刷ジョブを識別するジョブＩＤ等を印刷ジョブに設定しておき、そのジョブＩＤをユーザに入力してもらうようにしてもよい。また、図１において、プリンタ装置１０ａとして示すように、プリンタ装置１０内に印刷制御装置２０を設けるようにしてもよい。
【００３４】
また、図２における受信部２１０、送信部２２０、認証部２４５、リスト情報出力部２５０、リスト情報受信部２４０、入力部２２５、リスト要求部２３０、印刷ジョブ要求部２６０、出力部２７０のスレーブ側の機能、図３における受信部５１０、リスト作成部５３０、リスト情報送信部５５０、印刷ジョブ送信部５６０のマスター側の機能を実現するためのプログラムをコンピュータ読み取り可能な記録媒体に記録して、この記録媒体に記録されたプログラムをコンピュータシステムに読み込ませ、実行することにより印刷管理を行ってもよい。ここで、マスター側の機能を実現する際には、既に構築されたサーバ装置に当該マスター側の機能を実現するためのプログラムをインストールし、サーバをマスター側の印刷管理装置５０として利用するようにしてもよい。この場合、必ずしもプリンタ装置１０を印刷管理装置５０に接続なくてもよい。なお、ここでいう「コンピュータシステム」とは、ＯＳや周辺機器等のハードウェアを含むものとする。
【００３５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３６】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００３７】
【図１】この発明の一実施形態による印刷システムの構成を示す概略ブロック図である。
【図２】印刷制御装置２０の構成について説明するための概略ブロック図である。
【図３】印刷管理装置５０の構成について説明するための概略ブロック図である。
【図４】リスト情報の一例を説明するための図面である。
【図５】印刷システムの動作の概略について説明するための図面である。
【図６】図１における印刷システムの動作を説明するためのフローチャートである。
【符号の説明】
【００３８】
１  印刷システム                          １０  プリンタ装置
２０  印刷制御装置                        ３０  端末装置
５０  印刷管理装置                        ２１０  受信部
２１５  印刷ジョブ記憶部                  ２２０  送信部
２２５  入力部                            ２３０  リスト要求部
２４０  リスト情報受信部                  ２４５  認証部
２５０  リスト情報出力部                  ２６０  印刷ジョブ要求部
２７０  出力部                            ５１０  受信部
５２０  印刷ジョブ記憶部                  ５３０  リスト作成部
５４０  リスト情報記憶部                  ５５０  リスト情報送信部
５６０  印刷ジョブ送信部
【図１】
2006021359.tif 000003
【図２】
2006021359.tif 000004
【図３】
2006021359.tif 000005
【図４】
2006021359.tif 000006
【図５】
2006021359.tif 000007
【図６】
2006021359.tif 000008